(57)【要約】【課題】  屋根面等の傾斜面が傾斜、凹状又は凸状に湾曲していてもこの面にぴったりとフィットさせて安定性の向上を図れ、作業者の転倒を防止し、歩行、作業の安全を図れる傾斜面工事用の足場を提供すること。【手段】  屈曲自在な板２と、板２の表面に複数隔設したステップ２とからなり、上記ステップ２が断面山形状の中空な本体３と、本体３の底部４に形成した窪み５とからなり、上記板１に上記窪み５に対向する屈曲部６を形成し、上記屈曲部６を上記窪み５に当がって両者を接着、溶着又は止め具を介して結合したことを特徴とする。【選択図】  図１
2008019603.tif 000002
【特許請求の範囲】
【請求項１】
屈曲自在な板と、板の表面に複数隔設したステップとからなり、上記ステップが断面山形状の中空な本体と、本体の底部に形成した窪みとからなり、上記板に上記窪みに対向する屈曲部を形成し、上記屈曲部を上記窪みに当がって両者を接着、溶着又は止め具を介して結合したことを特徴とする傾斜面工事用足場。
【請求項２】
板の片側又は両側に手摺を起立している請求項１に記載の傾斜面工事用足場。
【請求項３】
板がゴム、軟性な合成樹脂その他の可撓性材料で成形され、ステップの表面に滑り止めが施され、止め具がピン、ビス又はボルトとナットである請求項１又は２に記載の傾斜面工事用足場。
【請求項４】
隣接させた二つのステップ同士を連結部材を介して結合して板同士を長手方向に連設させ、当該連結部材の端部に手摺を起立させている請求項２又は３に記載の傾斜面工事用足場。
【請求項５】
連結部材が水平なブラケットと、このブラケットの両端に当該ブラケットと直交する方向に向けて設けた一対のロッドと、各ロッドの基端上に起立する手摺り取付け用のソケットと、上記ロッドの他端側に設けた着脱自在なロッド結合部材とで構成させ、各ロッドを隣接する各ステップ内に当該ステップに沿って挿入し、更に各ロッドの他端部をロッド結合部材で結合し、上記ソケット内に手摺り縦支柱の下部を着脱自在に挿入させている請求項４に記載の傾斜面工事用足場。
【発明の詳細な説明】
【技術分野】
【０００１】
本発明は、ビルディングの屋根、神社の屋根、ドームの球場の屋根又は一般家屋の屋根の建造、修理等の工事、或いは、山や丘の傾斜した法面の工事に使用する足場に関し、特に、屋根面が凹状又は凸状に湾曲している屋根の工事に適する傾斜面工事用の足場に関する。
【背景技術】
【０００２】
一般に、ビルディングや一般家屋等の屋根を建造、修理する場合には、この屋根が任意の角度の勾配を有していると、作業者が屋根面に沿って縦横に歩行するのが困難で作業姿勢も不安定となり、作業性が悪く、最悪の場合には作業者が転倒して地上に落下する危険がある。
【０００３】
そこで、特許文献１に示すように、屋根面上における歩行中、作業中に作業者が転倒したり、地上に落下したりするのを防止し、安全な作業が行え、人身事故の発生を防止できる屋根工事用の足場が開発されている。
【０００４】
この屋根工事用の足場は、屋根面の勾配に合わせて当該屋根面上に縦方向に配設した角度調整自在な剛性のタラップと、タラップの片側又は両側に起立させた角度調整自在な手摺と、タラップの側部に角度調整自在な足場板支持金具を介して水平方向に結合した足場板と、足場板の片側又は両側に起立させた手摺とからなり、上記タラップと足場板上に沿って作業者が歩行し、作業を行うようにしている。
【特許文献１】特開２００２-８９０３３号公報(図面，請求項１参照)
【発明の開示】
【発明が解決しようとする課題】
【０００５】
上記の屋根工事用の足場は、タラップや足場板に沿って歩行でき、手摺も設けられているから作業者の安全が図れ、機能上の欠陥があるわりではないが、以下のような不具合の改善が望まれている。
【０００６】
即ち、神社の屋根のように任意の角度の勾配に加えて凹状に彎曲しながら反り返っている場合、あるいは、ドーム球場の屋根、石油タンクの屋根のように凸状に湾曲している屋根の場合には、上記従来のタラップや足場板は剛性で水平となっているので、上記凹状又は凸状の屋根面に沿ってぴったりとフィットできない場合がある。
【０００７】
その結果、タラップや足場板の端部と屋根面との間に隙間が発生し、この隙間分タラップや足場板が揺動し、不安定となり、作業者が転倒するおそれがある。
【０００８】
そこで、本発明の目的は、屋根面等の傾斜面が傾斜、凹状又は凸状に湾曲していてもこの面にぴったりとフィットさせて安定性の向上を図れ、作業者の転倒を防止し、歩行、作業の安全を図れる傾斜面工事用の足場を提供することである。
【課題を解決するための手段】
【０００９】
上記の目的を達成するため、本発明の手段は、屈曲自在な板と、板の表面に複数隔設したステップとからなり、上記ステップが断面山形状の中空な本体と、本体の底部に形成した窪みとからなり、上記板に上記窪みに対向する屈曲部を形成し、上記屈曲部を上記窪みに当がって両者を接着、溶着又は止め具を介して結合したことを特徴とするものである。
【００１０】
この場合、板の片側又は両側に手摺を起立しているのが好ましい。
【００１１】
同じく、板がゴム、軟性な合成樹脂その他の可撓性材料で成形され、ステップの表面に滑り止めが施され、止め具がピン、ビス又はボルトとナットであるのが好ましい。
【００１２】
同じく、隣接させた二つのステップ同士を連結部材を介して結合して板同士を長手方向に連設させ、当該連結部材の端部に手摺を起立させても良い。
【００１３】
この場合、連結部材が水平なブラケットと、このブラケットの両端に当該ブラケットと直交する方向に向けて設けた一対のロッドと、各ロッドの基端上に起立する手摺り取付け用のソケットと、上記ロッドの他端側に設けた着脱自在なロッド結合部材とで構成させ、各ロッドを隣接する各ステップ内に当該ステップに沿って挿入し、更に各ロッドの他端部をロッド結合部材で結合し、上記ソケット内に手摺り縦支柱の下部を着脱自在に挿入させても良い。
【発明の効果】
【００１４】
各請求項の本発明によれば、板が屈曲自在に形成されているので、屋根面の全体又は一部が凹状又は凸状に湾曲していても、板の下面が屋根面に沿ってぴったりとフィットでき、板が縦方向又は横方向に揺動したり、滑ったりするのが防止される。この為、板上のステップを作業者が安定して歩行し、作業が行え、作業者の転倒を防止し、安全性の向上を図れる。
【００１５】
更に、ステップの低部に窪みを設け、この窪みに板の屈曲部を当がっているので両者を結合するピン、ビス、ボルトとナット等の硬い止め具をこの窪みのスペース内に収用でき、これらの止め具の下端が屋根面に当るのを防止できる。その結果板の下面のみが屋根面にフィットし、板が滑るのを防止できる。
【発明を実施するための最良の形態】
【００１６】
以下本発明の実施の形態を図に基づいて説明するが、本発明の屋根工事用の足場Ａは、通常の傾斜した一般家屋の屋根のみならず、図８に示すような神社の構造物Ｂのように傾斜した屋根面Ｐや、凹状に湾曲した屋根面、ドーム球場のような構造物の凸状に湾曲した屋根面に配置して使用するのに適するものである。
【００１７】
足場Ａは、図２に示すように、屈曲自在な板１と、板１の表面に複数隔設したステップ２とからなり、上記ステップ２が、図１に示すように、断面山形状の中空な本体３と、本体３の底部４に形成した窪み５とからなり、上記板１に上記窪み３に対向する屈曲部６を形成し、上記屈曲部６の外面を上記窪み５の外面に沿って当がって両者を止め具７を介して結合したものである。
【００１８】
さらに詳しく説明すると、ステップ２の本体３は、断面がやや三角形の中空な枠体からなり、上部に断面コ字状の踏み台部９が形成されており、両側に傾斜する枠部の表面と上記踏み台部９の側部には滑り止め８，８が形成され、作業者の靴の底を踏み台部９に載せ、靴の先端側をどちらか一方の傾斜する枠部上に載せるようになっている。
【００１９】
滑り止め８は、図１に示すように、複数段等間隔に列設した突起、リブ、粗面その他靴底が滑り難い構造のものから成形されている。
【００２０】
止め具７は、上下端にフランジ状の係止部を備えたピンからなっているが、この止め具７は、ボルトとナット又はビスからなるものでも良いく、更に、止め具７に代えて底部４と屈曲部６を接着、溶着させても良い。
【００２１】
ステップ２に窪み５を形成したことにより、この窪み５のスペース内に止め具７を収容し、金属等の硬い止め具７の先端が屋根面Ｐに接触するのを防止している。これにより、板１のみが屋根面Ｐに接触でき、足場の滑りを防止している。
【００２２】
足場Ａは、図８に示すように、板１の片側又は両側に手摺Ｔを起立しており、  板１は、ゴム、軟性な合成樹脂その他の可撓性材料で成形されている。
【００２３】
足場Ａは、図２に示す単独のものをそのまま使用してもよいが、例えば、屋根面Ｐの面性が広い場合は、単独の足場Ａを複数長手方向に接続して使用する。
【００２４】
この場合は、隣接させた二つのステップ２，２同士を、例えば、図３に示す連結部材１０を介して結合して板１，１同士を長手方向に連設させ、当該連結部材１０の端部に手摺Ｔを起立させている。
【００２５】
この連結部材１０は、水平なブラケット１１と、このブラケット１１の両端に当該ブラケット１１と直交する方向に向けて設けた一対のロッド１２，１２と、各ロッド１２，１２の基端上に起立する手摺り取付け用のソケット１３，１３と、上記ロッド１２，１２の他端側に設けた着脱自在なロッド結合部材１４とで構成させている。
【００２６】
ロッド結合部材１４は、一方のロッド１２の端部に回転自在に結合した支持アーム１５と、この支持アーム１５の先端支持片を着脱自在に受容する他方のロッド１２にも受片１６と、上記支持片の受片１６からの抜けを防止するグラビティロックピン１７とからなるものである。
【００２７】
但し、上記連結部材１０は、図示のもに限定されるものではなく、隣接する足場Ａ、Ａを結合するものであれば他の方法、他の構造のものでも良い。
【００２８】
ソケット１３の側部にはロック機構Ｒが取付けられ、ソケット１３に差込んだ手摺りの支柱が抜けるのを防止している。
【００２９】
このロック機構Ｒは、図４に示すように、平面Ｕ字状のブラケット１８と、このブラケット１８に回転自在に挿入してソケット１３内に貫通する側面Ｌ字状のロックピン１９と、ロックピン１９の先端に植設したストップピン２０と、上記ブラケット１８の内周とストップピン２０との間に介在させた復帰スプリング２１と、上記ブラケト１８の下部に形成した溝２２とからなるものである。
【００３０】
これにより、ソケット１３内に挿入した手摺Ｔの縦支柱２３（図７参照）の孔にロックピン１９先端を差込んでこの縦支柱２３の抜けを防止している。
【００３１】
縦支柱２３を抜く時はロックピン１９の後部をスプリング２１に抗して引っ張り、次いで回転してストップピン２０を溝２１に係り止めさせればよい。
【００３２】
手摺Ｔは、図８に示すように、一対の縦支柱２３、２３と、各縦支柱２３，２３間に架設した一つ又は複数の支柱２４，２５から構成されている。
【００３３】
他方、本発明の足場Ａは、板１の材質により、屋根面Ｐその他の傾斜面にフィットさせながら滑り落ちるのを防止できるが、安全を期すため、足場Ａの端部にワイヤを結合し、このワイヤを屋根の上部に設けた止め部材に引掛けて足場Ａが落下するのを防止するようにしても良い。
【００３４】
この場合、図５に示すように、最端部のステップ２に取付部材２６を取付け、この取付部材２６の両端の孔３０、３０にワイヤを結合するようになっている。
【００３５】
取付部材２６は、ロッド２７と、ロッド２７の両端に設けた支持片２８，２９と、支持片２８，２９に形成した孔３０、３０と、ロッド２７の基端上部に起立する手摺取付け用のソケット１３と、ロッド２７の他端の設けたストッパー３１とから構成されている。
【００３６】
ストッパー３１は、図６に示すように、断面半円状のガイド筒３２と、ガイド筒３２に回転自在に挿入したＬ字状のロックピン３３と、ロックピン３３の先端に起立させた係止ピン３４とから構成されている。
【００３７】
これにより、ロックピン３３を垂直にしながらロッド２７をステップ２内を貫通させ、貫通後ロックピン３３を図６（Ｃ）に示すように回転させると、このロックピン３３がステップ２における踏み台部９の端面に係合し、ロッド２７の抜けを防止させている。
【図面の簡単な説明】
【００３８】
【図１】（Ａ）本発明の一実施の形態にかかる傾斜面工事用足場のステップ部の拡大正面図である。
【図２】（Ａ）単一の屋根工事用足場の平面図である。
【００３９】
（Ｂ）同じく正面図である。
【図３】（Ａ）（Ｂ）（Ｃ）（Ｄ）（Ｅ）は連結部材平面図，左右側面図、正面図、背面図である。
【図４】（Ａ）手摺  取付部材の平面図である。
【００４０】
（Ｂ）同じく正面図である。
【図５】（Ａ）  取付部材の平面図である。
【００４１】
（Ｂ）  同じく側面図である。
【図６】（Ａ）（Ｂ）（Ｃ）はストッパーの平面図、側面図、背面図である。
【図７】手摺の正面図である。
【図８】足場を取付けた屋根面の正面図である。
【符号の説明】
【００４２】
１  板
２  ステップ
３  本体
４  底部
５  窪み
６  屈曲部
９  踏み台部
【図１】
2008019603.tif 000003
【図２】
2008019603.tif 000004
【図３】
2008019603.tif 000005
【図４】
2008019603.tif 000006
【図５】
2008019603.tif 000007
【図６】
2008019603.tif 000008
【図７】
2008019603.tif 000009
【図８】
2008019603.tif 000010